(57)【要約】【課題】従来、屋外の広いエリアの冷房、暖房が可能な屋外空気調和装置が無かった。【解決手段】屋外空気調和装置１００は、一つのケーシング１０の中に、圧縮機１と、熱源側熱交換器と、第１ファン７と、利用側熱交換器３と、第２ファン４と、を収容している。ケーシング１０には、利用側熱交換器を通過した空気を吹出す第１吹出し口３１ａと、吹出し方向の異なる第２吹出し口３１ｃとが形成されている。【選択図】図３Ａ
2020003180.tif 000002
【特許請求の範囲】
【請求項１】
屋外で使用される空気調和装置（１００）であって、
圧縮機（１）と、
熱源側熱交換器（６）と、
前記熱源側熱交換器に空気を通すための第１ファン（７）と、
利用側熱交換器（３）と、
前記利用側熱交換器に空気を通すための第２ファン（４）と、
前記圧縮機、前記熱源側熱交換器、前記第１ファン、前記利用側熱交換器、および、前記第２ファンを収容するケーシング（１０）と、を備え、
前記ケーシングには、
前記利用側熱交換器を通過した空気を吹出す第１吹出し口（３１ａ）と、
前記利用側熱交換器を通過した空気を吹出す吹出し口であって、前記第１吹出し口とは異なる方向へ空気を吹出すことが可能な第２吹出し口（３１ｃ）と、
が形成されている、屋外空気調和装置。
【請求項２】
前記ケーシングは、第１側面（２０ａ）と、第２側面（２０ｃ）とを有し、
前記第１側面は、前記第１吹出し口が形成され、
前記第２側面は、前記第２吹出し口が形成されている、
請求項１に記載の屋外空気調和装置。
【請求項３】
前記第２吹出し口の吹出し方向は、前記第１吹出し口の吹出し方向と１８０°異なる方向を含んでいる、
請求項２に記載の屋外空気調和装置。
【請求項４】
前記ケーシングは、さらに、第３側面（２０ｂ）と、第４側面（２０ｄ）とを有し、
前記ケーシングの側面は、前記第１側面と、前記第２側面と、前記第３側面と、前記第４側面とからなり、
前記第３側面は、前記利用側熱交換器を通過した空気を吹出す第３吹出し口が形成され、
前記第３吹出し口は、前記第１、第２吹出し口とは異なる方向へ空気を吹出すことが可能であり、
前記第４側面は、前記利用側熱交換器を通過した空気を吹出す第４吹出し口が形成され、
前記第４吹出し口は、前記第１、第２、および、第３吹出し口とは異なる方向へ空気を吹出すことが可能である、
請求項２または３に記載の屋外空気調和装置。
【請求項５】
前記利用側熱交換器は、前記第１〜第４側面の４つの側面の内で、２以上の側面に面する部分を有している、
請求項４に記載の屋外空気調和装置。
【請求項６】
前記ケーシングは、さらに、
前記利用側熱交換器を通過させる空気を吸込む複数の吸込み口が形成されている、
請求項１〜５のいずれか１項に記載の屋外空気調和装置。
【請求項７】
前記第２ファン、前記第１吹出し口、および、前記第２吹出し口は、高さ方向において、前記利用側熱交換器と、前記熱源側熱交換器との間に配置されている、
請求項１〜６のいずれか１項に記載の屋外空気調和装置。
【請求項８】
前記第１吹出し口および前記第２吹出し口は、それぞれ、複数の開口（３０１）を設けている、
請求項１〜７のいずれか１項に記載の屋外空気調和装置。
【請求項９】
前記第１吹出し口および前記第２吹出し口は、風向を変更するフラップ（４０２）が配置されている、
請求項１〜８のいずれか１項に記載の屋外空気調和装置。    
【請求項１０】
前記ケーシングの前記第１吹出し口の上または下に、
把手（５１）が配置されている、
請求項１〜９のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００２−２２８１８６号公報）に開示されている一体型空気調和装置は、屋外への排気が難しいような窓の無い部屋で利用する空気調和装置である。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置には、従来の室内空気調和装置にはなかった広いエリアの冷房、または、暖房が求められている。
【課題を解決するための手段】
【０００４】
第１観点の屋外空気調和装置は、屋外で使用される空気調和装置である。空気調和装置は、圧縮機と、熱源側熱交換器と、第１ファンと、利用側熱交換器と、第２ファンと、ケーシングと、を備えている。第１ファンは、熱源側熱交換器に空気を通すためのものである。第２ファンは、利用側熱交換器に空気を通すためのものである。ケーシングは、圧縮機と、熱源側熱交換器と、第１ファンと、利用側熱交換器と、第２ファンとを、収容している。ケーシングは、第１吹出し口と、第２吹出し口とが形成されている。第１、第２吹出し口は、利用側熱交換器を通過した空気を吹出す。第２吹出し口は、第１吹出し口とは異なる方向へ空気を吹出すことが可能である。
【０００５】
なお、ケーシングは、支柱と、底板と、天板と、を有していることが好ましい。
【０００６】
第１観点の屋外空気調和装置は、屋外の複数のエリアに、冷風または暖風を供給することができる。
【０００７】
第２観点の屋外空気調和装置は、第１観点の屋外空気調和装置であって、ケーシングは、第１側面と、第２側面とを有している。第１側面は、第１吹出し口が形成され、第２側面は、第２吹出し口が形成されている。
【０００８】
第３観点の屋外空気調和装置は、第２観点の屋外空気調和装置であって、第２吹出し口の吹出し方向は、第１吹出し口の吹出し方向と１８０°異なる方向を含んでいる。
【０００９】
第３観点の屋外空気調和装置は、１８０°異なる方向を同時に冷房または暖房することが可能となり、広いエリアの空調が可能となる。
【００１０】
第４観点の屋外空気調和装置は、第２観点または第３観点の屋外空気調和装置であって、ケーシングは、さらに、第３側面と、第４側面とを有している。ケーシングの側面は、第１側面と、第２側面と、第３側面と、第４側面とからなっている。第３側面は、第３吹出し口が形成されている。第４側面は、第４吹出し口が形成されている。第３吹出し口および第４吹出し口は、利用側熱交換器を通過した空気を吹出す。第１〜第４吹出し口は、異なる方向へ空気を吹出すことが可能である。
【００１１】
第４観点の空気調和装置は、屋外空気調和装置の４側面全てにおいて吹出し口が備えられており、全ての側面の周りを冷房、または、暖房することが可能である。
【００１２】
第５観点の屋外空気調和装置は、第４観点の屋外空気調和装置であって、利用側熱交換器は、第１〜第４側面の４つの側面の内で、２以上の側面に面する部分を有している。
【００１３】
第５観点の屋外空気調和装置は、多くの側面で熱交換を行うことにより、熱交換量を高め、冷房または暖房能力を高めることができる。
【００１４】
第６観点の屋外空気調和装置は、第１観点〜第５観点のいずれかの屋外空気調和装置であって、ケーシングは、さらに、利用側熱交換器を通過させる空気を吸込む複数の吸込み口が形成されている。
【００１５】
第６観点の屋外空気調和装置は、吸込み空気量を増やし、冷房または暖房する吹出し風量を容易に増大させることができる。
【００１６】
第７観点の屋外空気調和装置は、第１観点〜第６観点のいずれかの屋外空気調和装置であって、第２ファン、第１吹出し口、および、第２吹出し口は、高さ方向において、前記利用側熱交換器と、前記熱源側熱交換器との間に配置されている。
【００１７】
第７観点の屋外空気調和装置は、吹出し口の高さを、ユーザーが快適に感じられる適当な高さに設定することができる。
【００１８】
第８観点の屋外空気調和装置は、第１観点〜第７観点のいずれかの屋外空気調和装置であって、第１吹出し口および第２吹出し口は、それぞれ、複数の開口を設けている。
【００１９】
第８観点の屋外空気調和装置は、複数の開口を独立に制御して、一部の開口を封鎖したり、空気の吹出し方向をそれぞれ違えたりすることができる。
【００２０】
第９観点の屋外空気調和装置は、第１観点〜第８観点のいずれかの屋外空気調和装置であって、第１吹出し口および第２吹出し口は、風向を変更するフラップが配置されている。
【００２１】
第９観点の屋外空気調和装置は、フラップにより、風向を変更することができる。
【００２２】
第１０観点の屋外空気調和装置は、第１観点〜第９観点のいずれかの屋外空気調和装置であって、ケーシングの第１吹出し口の上または下に、把手が配置されている。把手は、屋外空気調和装置を移動させるためのものである。
【００２３】
第１０観点の屋外空気調和装置は、把手５１を備えているため、人が比較的容易に本装置を移動させる事ができる。
【図面の簡単な説明】
【００２４】
【図１】第１実施形態の屋外空気調和装置１００の冷媒回路を示す図。
【図２】第１実施形態の屋外空気調和装置１００の外観斜視図。
【図３Ａ】第１実施形態の屋外空気調和装置１００の内部の構成を示す斜視図。
【図３Ｂ】第１実施形態の屋外空気調和装置１００の内部の構成を示す縦断面図。
【図４】第１実施形態の屋外空気調和装置１００の吹出し口３１ａ付近の構成を示す拡大斜視図。
【図５】第１実施形態の把手５１の斜視図。
【図６】第２実施形態の屋外空気調和装置１０１の外観斜視図。
【図７】第２実施形態の吹出し口３１ｂ、３１ｃ付近を示す斜視図
【図８Ａ】第２実施形態のパネル３００の図。
【図８Ｂ】第２実施形態のフラップユニット４０の図。
【図８Ｃ】第２実施形態の枠体２５を示す図。
【発明を実施するための形態】
【００２５】
＜第１実施形態＞
（１）屋外空気調和装置１００の冷媒回路の構成
第１実施形態の屋外空気調和装置１００の冷媒回路を図１に、外観の斜視図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２６】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００２７】
本実施形態の屋外空気調和装置１００は、図１に示すような冷媒回路全体を一つのケーシングの中に含む、空気調和装置である。屋外空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。屋外空気調和装置１００は、さらに、利用側熱交換器３、熱源側熱交換器６にそれぞれ空気を送る第２ファン４、第１ファン７を備えている。つまり、本実施形態の利用側熱交換器３、熱源側熱交換器６は、ともに、冷媒と空気で熱交換を行う熱交換器である。
【００２８】
冷房、除湿の場合は、利用側熱交換器３、熱源側熱交換器６は、それぞれ冷凍サイクルの蒸発器、凝縮器として機能する。暖房の場合は、利用側熱交換器、熱源側熱交換器は、それぞれ凝縮器、蒸発器として機能する。冷房と暖房の切換は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００２９】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂである。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３０】
（２）屋外空気調和装置１００の各機器の配置
屋外空気調和装置１００の外観の斜視図を図２に、化粧板、一部の支柱等を取り除いて、主な内部の構成を表示した斜視図、縦断面図を図３Ａ、図３Ｂに、吹出し口３１ａ付近の詳細な斜視図を図４に示す。
【００３１】
本実施形態の空気調和装置１００では、ケーシング１０の中に、圧縮機１、熱源側熱交換器６、利用側熱交換器３、第１ファン７、第２ファン４が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。
【００３２】
ケーシング１０の４側面２０ａ〜２０ｄの外側には、化粧板２０１、２０２が取り付けられている。化粧板２０１、２０２は複数の孔が形成されており、孔を通じて空気が流通可能になっている。各側面２０ａ〜２０ｄの化粧板は、上化粧板２０１、下化粧板２０２に分割されている。
【００３３】
ケーシング１０の内部には、上から順に、第１ファン７、熱源側熱交換器６、第２ファン４、利用側熱交換器３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８が配置されている。
【００３４】
底板１２のさらに下には、４つのキャスターが取り付けられている。したがって、屋外空気調和装置１００は、移動可能である。
【００３５】
第１ファン７は、プロペラファンである。ターボファン、シロッコファンであってもよい。第１ファン７は、天板１３の中央部に吹出し口２９を開けて、天板の中央部から上方に空気を排出できるように取り付けられている。図示されていないが天板１３の中央部の吹出し口２９にはさらにメッシュ状の板が配置されている。
【００３６】
熱源側熱交換器６は、冷媒を流通させる伝熱管と、冷媒と空気との熱交換を推進する金属製フィンを含んでいる。熱源側熱交換器６は、ケーシング１０の４側面２０ａ〜２０ｄの全ての面に配置されている。冷媒は、すべての側面２０ａ〜２０ｄを通過させる必要は無い。たとえば、２側面ごとに２つに分離して、冷媒を分配して流通させてもよい。また。必ずしも４側面２０ａ〜２０ｄ全てに熱源側熱交換器６を配置しなくてもよい。３つの面、２つの面、１つの面だけに配置してもよい。
【００３７】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００３８】
利用側熱交換器３は、冷媒を空気と熱交換させながら流通させる伝熱管と、冷媒と空気との熱交換を促進する金属製フィンとを含んでいる。利用側熱交換器３は、ケーシング１０の４側面２０ａ〜２０ｄの全ての面に配置されている。冷媒は、すべての面を通過させる必要は無い。たとえば、２側面ごとに２つに分離して、冷媒を分配して流通させてもよい。また。必ずしも４つの側面２０ａ〜２０ｄ全てに利用側熱交換器３を配置しなくてもよい。３つの面、２つの面、１つの面だけに配置してもよい。
【００３９】
（３）屋外空気調和装置１００における空気を流す構成と、空気の流れの説明
（３−１）利用側熱交換器３側の空気の流れ
図面を参照して、利用側熱交換器３側の空気の流れを詳細に説明する。図３Ａ、図３Ｂには、本実施形態の屋外空気調和装置１００における、主な空気の流れを矢印に示してある。図４は吹出し口３１付近の詳細を示す図である。
【００４０】
第２ファン４が運転されると、空気は、屋外空気調和装置１００の外部、４側面２０ａ〜２０ｄの利用側熱交換器３の前面から、下化粧板２０２を通過して、中間板１６、１７の間の空間に取り込まれる。空気は、利用側熱交換器３を通過し、利用側熱交換器３において、冷媒と熱交換を行う。冷媒によって加熱または冷却された空気は、第２ファン４を通過し、中間板１５、１６の間の空間へ移動し、４側面２０ａ〜２０ｄに設けられた吹出し口３１ａ〜３１ｄから外の空間に、横方向に吹出される。吹出し口３１ａ〜３１ｄは、ケーシング１０に形成された穴である。ここで横方向とは、水平方向±３０°で定義する。本実施形態の屋外空気調和装置１００は、フラップ４０２を有しており、水平方向と、水平方向±３０°より広い角度に空気を吹出すことができる。吹出し口の向きを変更することにより、ある方向だけ全閉にして、特定の方向だけ空気の吹出しを封止することもできる。また、吹出し口３１ａ〜３１ｄに用いる部材、フラップ４０２などは、耐候性材料を用いるか、表面に耐候性処理を施すのが好ましい。ここで耐候性材料の例としては、アクリロニトリルスチレン重合体などであるが、これに限定されない。
【００４１】
（３−２）熱源側熱交換器６側の空気の流れ
第１ファン７が運転されると、空気は、屋外空気調和装置１００の外部の、熱源側熱交換器６が配置されている前面から、上化粧板２０１を通過して、中間板１４、１５の間の空間に、取り込まれる。外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、屋外空気調和装置１００の内部で第１ファン７、天板１３の中央の吹出し口２９を通過して、屋外空気調和装置１００の外の上部に、上向きに吹出される。
【００４２】
（４）把手５１の配置
把手５１の配置について、図面を用いて説明する。図４は、本実施形態の屋外空気調和装置の把手を含む吹出し口３１付近の拡大図である。図４の左側の側面２０ｄにおいては、化粧板２０１、２０２をつけた状態で、かつ、フラップ４０１、把手５１が見える状態で示している。ただし、把手５１の前面のカバー５３（図２参照）は取り外した状態である。一方、図４の右側の側面２０ａは、化粧板２０１，２０２、フラップ４０１、把手５１を取り外し、内部が見える状態で表示している。図５は、把手５１の斜視図である。
【００４３】
本実施形態の屋外空気調和装置１００は、イベント会場等、屋外で場所を移動させて利用することが想定されている。一方、本装置は数十キロ以上の重量物である。移動のために、キャスターが備えられている。さらに、人が手を差し込んで、本装置を持ち上げたり、押したりするために、把手５１も配置されている。
【００４４】
把手５１は、図４に示すように、吹出し口３１ｄの下に配置されている。また、把手５１は、パネル５２に取り付けられ、パネル５２はケーシング１０に取り付けられている。さらに、把手５１の表面には、図２に示すようにカバー５３が取り付けられている。屋外空気調和装置１００の空調運転時には、カバー５３を取り付け、ユーザーが簡単に屋外空気調和装置１００を動かさないようにする。屋外空気調和装置１００を移動させるときは、カバーを取り外し、人が把手の中に手を入れて、屋外空気調和装置１００を動かすことができるようにする。
【００４５】
把手５１は４側面２０ａ〜２０ｄに配置されている。
【００４６】
把手５１の上端と吹出し口３１の下端は５０ｍｍ以上離して配置されている。これは、図４の側面２０ｄのような状態で、親指以外の４本の指を把手５１に入れたとき、親指が吹出し口３１ｄに入らないようにするためである。さらに把手の上端と吹出し口３１の下端の距離は１００ｍｍ以下であるのが好ましい。
【００４７】
また、図４の側面２０ｄと側面２０ａの比較から理解できるように、把手５１の配置されている高さは、ベルマウス２６の配置されている高さである。第２ファン４により、利用側熱交換器３を通過した空気は、ベルマウス２６の内側を通り、ファン４の内部を通過し、吹出し口３１ａ〜３１ｄに吹出される。つまり、ベルマウスの外側は、空きスペースであるだけでなく、ここに物を配置しても、空気の流れは影響を受けない。
【００４８】
（５）特徴
（５−１）
本実施形態の屋外空気調和装置は、一つのケーシング１０の中に、圧縮機１、熱源側熱交換器６、利用側熱交換器３、第１ファン７、第２ファン４を備えている。そうして、少なくとも２つの異なる方向に同時に、利用側熱交換器３を通過した空気を吹出す事が可能な２以上の吹出し口３１ａ、３１ｃを備えている。
【００４９】
本実施形態はこのような構成を有しているため、従来の室内の壁際に配置された空気調和装置と異なり、広いエリアの冷房、または、暖房が可能になる。また、いわゆるスポットクーラーと呼ばれる空気調和装置とも異なり、冷房または暖房できるエリアが広くなる。
【００５０】
また、本実施形態の屋外空気調和装置は、ケーシング１０に、特にケーシングから突出するダクト等を用いることなく、吹出し口３１ａ〜３１ｄが配置されている。そのため、第２ファン４と吹出し口３１ａ〜３１ｄの距離が近く、装置１００の内部で、風速の減衰が少ない。また、ケーシング１０の周辺を含めて多方面を冷房、または暖房することができる。
【００５１】
（５−２）
また、本実施形態の屋外空気調和装置１００のケーシング１０は、上面視多角形の形状を有している。そうして、ケーシング１０は多角形の異なる辺に相当する側面２０ａ〜２０ｄを有している。ケーシング１０は、少なくとも２つの側面に、吹出し口３１ａ〜３１ｄを有している。
【００５２】
本実施形態の屋外空気調和装置１００は、このような構成を有するので、異なるエリアを含む広いエリアの冷房または暖房が可能である。
【００５３】
（５−３）
上記異なる側面に配置された２つの吹出し口３１ａ、３１ｃは、吹出し方向が１８０°異なっていてもよい。
【００５４】
このような構成とすることにより、１８０°異なる方向を同時に冷房または暖房することが可能となり、広いエリアの冷房または暖房が可能となる。
【００５５】
（５−４）
ケーシングは、４つの側面２０ａ〜２０ｄを有し、そのそれぞれの側面２０ａ〜２０ｄに、吹出し口３１ａ〜３１ｄが形成されていてもよい。
【００５６】
このような構成とすることにより、空調機のより広いエリアの空調が可能となる。
【００５７】
また、ケーシングの全ての側面２０ａ〜２０ｄに吹出し口３１ａ〜３１ｄを備えていてもよい。
【００５８】
このようにすることにより、屋外空気調和装置の周り、全てを空調することが可能になる。
【００５９】
（５−５）
また、本実施形態の屋外空気調和装置１００においては、利用側熱交換器３は、２以上の側面に面する部分を有している。より好ましくは、３以上の面、さらに、好ましくは、４つの側面全てに面する部分を有している。
【００６０】
このような構成とすることにより、熱交換量は増大し、冷房能力または暖房能力が大きくなる。
【００６１】
（５−６）
本実施形態の屋外空気調和装置１００においては、前記ケーシング１０は、さらに、
前記利用側熱交換器３を通過させる空気を吸込む複数の吸込み口が形成されている。このようにすることにより、吸込み、吹出し空気量が容易に増大する。
【００６２】
（５−７）
また、本実施形態においては、第２ファン４と、利用側熱交換器３を通過した空気の吹出し口３１ａ〜３１ｄは、高さ方向において、利用側熱交換器３と、熱源側熱交換器６の間に配置されている。
【００６３】
このような構成とすることにより、吹出し口３１ａ〜３１ｄの高さを適当な高さに設定することができる。ここで適当な高さとは、人が立っていても、いすに座っていても上半身に風があたり、快適と感じられる高さである。また、適当な高さで横方向に吹出すことにより、遠方まで、風を到達させることができ、広いエリアの暖房、冷房を可能にする。
【００６４】
本実施形態では、熱源側熱交換器６を利用側熱交換器３の上に配置している。
【００６５】
このような構成とすることにより、上部に排気を逃がすことができる。特に冷房時には暖かい空気を効率的に、上空に逃がすことができる。
【００６６】
（５−８）
本実施形態の吹出し口３１ａ〜３１ｄは、フラップ４０２を有している。フラップ４０２は風向きを変更することができる。特定の側面２０ａ〜２０ｄの吹出し口３１ａ〜３１ｄを封止することもできる。
【００６７】
（５−９）
本実施形態の屋外空気調和装置１００は、第１吹出し口３１の上または下に、把手５１が配置されている。より好ましくは、第１吹出し口３１の下である。また、本実施形態においては、把手５１の位置は、利用側熱交換器３またはその吸込み口よりは、上である。
【００６８】
本実施形態の屋外空気調和装置１００は、把手５１を備えているため、人が比較的容易に本装置を移動させる事ができる。
【００６９】
また、把手５１が、第１吹出し口３１の上または下であり、適当な高さであるので、人の手が入りやすい。
【００７０】
さらに、把手５１が第１吹出し口３１の下に配置されているとき、が把手５１の上端と吹出し口３１の下端の距離は１００ｍｍ以下である。
【００７１】
また、側面に吹出し口があると、ユーザーは吹出し口を把手と間違い手をいれてしまう危険性がある。本実施形態では、第１吹出し口３１の周辺に把手５１が配置されている。ユーザーが第１吹出し口３１を見たとき、同時に、把手５１を視認できるので、第１吹出し口３１に誤って手を入れてしまう危険性を低くできる。
【００７２】
そして、本実施形態の屋外空気調和装置１００において、把手５１は、吹出し口３１から５０ｍｍ以上離れて配置されている。そのため、把手５１に親指以外の４指を入れたときに、親指が吹出し口３１に入る危険性が少ない。
【００７３】
また、第１吹出し口３１の下は、第２ファン４の空気が通過するベルマウス２６の高さ位置に当たる。この位置に把手５１を配置することで、ベルマウス２６の外のスペースを有効に利用できる。第２ファン４の空気の流れを邪魔することもない。
【００７４】
（６）変形例
（６−１）変形例１Ａ
第１実施形態においては、ケーシング１０の４側面２０ａ〜２０ｄ全てに吹出し口３１ａ〜３１ｄが形成されている。変形例１Ａの屋外空気調和装置では、一つの側面には、吹出し口が形成されていない。その他は第１実施形態と同様である。屋外といっても、特定の方向には、冷房または暖房を行う必要が無い場合も当然起こりうる。その場合に、一面に吹出し口を設けないようにすれば、より効率よく多方面に冷房、または暖房を行うことができる。また、２側面に吹出し口を設けない構成としてもよい。
【００７５】
（６−２）変形例１Ｂ
第１実施形態の屋外空気調和装置１００は、直方体状の形状を有している。変形例１Ｂの屋外空気調和装置は、円筒状の形状を有している。その他は基本的に第１実施形態と同様である。すなわち、屋外空気調和装置１００の上面視がほぼ円形である。この場合、屋外空気調和装置１００の側面は、一つの曲面である。吹出し口は、上面視で別の方向に２以上形成されている。実質的に連続的にほぼ円の全周にわたって吹出し口が形成されていてもよい。屋外空気調和装置１００の上面視が楕円形であってもよい。
【００７６】
（６−３）変形例１Ｃ
第１実施形態の屋外空気調和装置１００においては、利用側熱交換器３はケーシング１０の４側面２０ａ〜２０ｄに配置されている。変形例１Ｃの屋外空気調和装置１００においては、ケーシング１０の３側面２０ａ〜２０ｃのみに、利用側熱交換器３は配置されている。また、利用側熱交換器３の吹出し口３１ａ〜３１ｃと、その吸込み口と、熱源側熱交換器６と、その吸込み口は、同一の３側面２０ａ〜２０ｃのみに形成または配置されている。その他は第１実施形態と同様である。
【００７７】
変形例１Ｃの屋外空気調和装置１００は、このような構成にすることにより、コストを削減できる。また、屋外であっても、たとえば、壁際に空気調和装置を配置する場合に熱交換器に無駄な構成が無い。
【００７８】
変形例１Ｃの屋外空気調和装置１００は、３側面に形成する場合であるが、２側面であっても同様である。また、変形例１Ｃは、利用側熱交換器３と、その吹出し口と、その吸込み口と、熱源側熱交換器６と、その吸込み口とが、同一の３側面のみに配置または形成されている場合について説明したが、揃って、３側面に構成されていなくてもよい。たとえば、熱源側熱交換器６は、４側面２０ａ〜２０ｄに配置し、利用側熱交換器３だけを３側面２０ａ〜２０ｃにすれば、その分、コストを削減することができる。
【００７９】
（６−４）変形例１Ｄ
変形例１Ｄの屋外空気調和装置は、把手５１を備える点では、実施形態１の屋外空気調和装置１００と共通しているが、把手５１の配置位置が異なる。その他の点は、実施形態１の屋外空気調和装置と同じである。
【００８０】
変形例１Ｄの屋外空気調和装置においては、把手５１は、第１吹出し口３１ａ〜３１ｄの上部、かつ、第１吹出し口の周辺につけられている。
【００８１】
把手５１を第１吹出し口３１の周辺に配置する理由は、実施形態１で説明したのと同様の理由である。
【００８２】
より具体的に、吹出し口３１の上端と把手５１の下端の距離は１００mm以下とするのが好ましい。
【００８３】
一方、吹出し口３１の上側に把手５１を配置する場合は、親指以外の四指を把手５１に入れたとしても親指が吹出し口３１に入る危険性はない。そこで、吹出し口３１の上端と把手５１の下端の距離は０mm以上であれば良い。
【００８４】
＜第２実施形態＞
（７）第２実施形態の屋外空気調和装置１０１の構成
第２実施形態の屋外空気調和装置１０１の構成を図面を用いて説明する。図６は、本実施形態の屋外空気調和装置１０１の外観斜視図、図７は、屋外空気調和装置１０１の吹出し口３１ｂ、３１ｃ付近を示す斜視図、図８Ａ〜図８Ｃは、吹出し口３１ａ〜３１ｄに配置される吹出し口部材３０の図である。図８Ａはパネル３００、図８Ｂはフラップユニット４０、図８Ｃは枠体２５を示している。
【００８５】
（７−１）全体構成
第２実施形態の屋外空気調和装置１０１の冷媒回路の構成、ケーシング１０とその内部の各機器の構成は、第１実施形態の屋外空気調和装置１００の図１、図３Ａ、図３Ｂに開示されたものと同じである。異なるのは、主に、吹出し口３１ａ〜３１ｄに配置される、吹出し口部材３０の構成である。第１実施形態と異なる点を中心に以下に詳しく説明する。
【００８６】
（７−２）利用側熱交換器３側の吹出し口３１ａ〜３１ｄの周囲の詳細構成
本実施形態では、吹出し口３１ａ〜３１ｄには、吹出し口部材３０が配置されている。吹出し口部材３０は、枠体２５と、パネル３００、フラップユニット４０を有している。
【００８７】
枠体２５は、図８Ｃに示す形状の金属板である。枠体２５は、支柱１１ａ〜１１ｄに取り付けられている。枠体２５は、４側面２０ａ〜２０ｄに対応して、４つの孔を形成している。枠体２５は、２つの穴を形成する第１部品２５ａ、第２部品２５ｂを有する。枠体２５の孔には、それぞれ、４つのパネル３００が取り付けられている。
【００８８】
パネル３００は、樹脂製である。図８Ａに示すように、一つのパネル３００には、４つの孔３０１が形成されている。孔３０１には、それぞれ、フラップユニット４０が取り付けられている。
【００８９】
パネル３００、または、フラップユニット４０には、耐候性材料を用いるか、表面に耐候性処理を施してもよい。ここで耐候性素材の例としては、アクリロニトリルスチレン重合体などであるが、これに限定されない。
【００９０】
フラップユニット４０は、図８Ｂに示すように、第１フラップ４０１、第２フラップ４０２、風向調整つまみ４０３を有している。フラップユニット４０のフラップ４０１、４０２の間の隙間、または、フラップ４０１、４０２と、フラップの周りの枠の間の隙間から空気が吹出される。フラップユニット４０は樹脂製である。金属製であってもよい。第１フラップ４０１は、第２フラップ４０２よりも外側に配置されている。第１フラップ４０１は、水平方向の空気の吹出し方向を変更することができる。第２フラップ４０２は、鉛直方向の空気の吹出し方向を変更することができる。なお、本実施形態においては、同一のフラップユニット４０に属する複数の第１フラップ４０１は、同一の方向を向くように設計されている。第２フラップ４０２も同様である。風向調整つまみ４０３を上下に動かすことにより、第２フラップ４０２の傾きを変更し、風向きを上下に変更することができる。風向調整つまみ４０３を左右に動かすことにより、第１フラップ４０１の傾きを変更し、風向きを左右に変更することができる。風向調整つまみ４０３を動かすことにより、吹出し口を塞ぐこともできる。本実施形態は、４側面２０ａ〜２０ｄにそれぞれ４つのフラップユニット４０が配置されている。各フラップユニット４０は、独立に風向調整つまみ４０３を動かすことにより、風向きを調整、封鎖することができる。
【００９１】
フラップ４０１、４０２の向きは、本実施形態のように、手動で制御されてもよいし、自動制御されていてもよい。フラップ４０１、４０２を手動で操作するためには、風向調整つまみ４０３に外部からアクセスできる必要がある。そのため、たとえば、化粧板の風向調整つまみ４０３の前面に当たる部分は、穴が開けられていてもよい。化粧板が取り外しできる、または、開状態にできてもよい。自動制御の例としては、ある側面から吹出される風向を時間に合わせて、変更してもよい。あるいは、ユーザーのスイッチ操作で、ある側面からの吹出し口からの吹出しを封止してもよい。
【００９２】
（８）第２実施形態の特徴
第２実施形態の空気調和装置１０１においては、第１実施形態の（５−１）〜（５−８）の全てが当てはまる。それに加えて、以下の特徴がある。
【００９３】
（８−１）
本実施形態の吹出し口３１ａ〜３１ｄには、複数の穴を有するパネル３００が配置されている。パネル３００が無い場合に比べて吹出し口３１ａ〜３１ｄは小さくなり、吹出し空気の風向や風量を制御しやすくなる。また、複数の穴を独立に制御して、一部の穴を封鎖したり、空気の吹出し方向をそれぞれ違えたりすることができる。
【００９４】
（８−２）
本実施形態のフラップ４０１、４０２は、ケーシング１０より着脱可能である。本実施形態の場合、より具体的には、パネル３００はケーシング１０に取り付けられている枠体２５より着脱可能であり、フラップユニット４０は、パネル３００より着脱可能である。フラップユニット４０はフラップ４０１、４０２を含んでいる。したがって、フラップ４０１、４０２は、ケーシング１０より着脱可能である。
【００９５】
本実施形態の屋外空気調和装置１０１は、屋外に配置されるために、フラップ４０１、４０２が汚れやすい。フラップ４０１、４０２が汚れていると、付着物によってはフラップ４０１、４０２を腐食するかもしれないし、付着物が吹き飛ばされると、付着物がユーザーに到達するかもわからないし、においが出る可能性もある。本実施形態の屋外空気調和装置１００は、フラップ４０１、４０２が着脱可能であるため、清掃が容易である。フラップを屋外空気調和装置から取り外すことができれば、より簡便にフラップを清掃することができる。
【００９６】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００９７】
１００          屋外空気調和装置
１              圧縮機
２              四方切換弁
３              利用側熱交換器
４              第２ファン
５              膨張弁
６              熱源側熱交換器
７              第１ファン
８              アキュムレーター
１０            ケーシング
１１ａ〜１１ｄ  支柱
１２            底板
１３            天板
１４〜１７      中間板
２０ａ〜２０ｄ  側面
２０１、２０２  化粧板
２５            枠体
２９            吹出し口
３０            吹出し口部材
３００          パネル
３１ａ〜３１ｄ  吹出し口
４０            フラップユニット
４０１、４０２  フラップ
５１            把手
【先行技術文献】
【特許文献】
【００９８】
【特許文献１】特開２００２−２２８１８６号公報
【図１】
2020003180.tif 000003
【図２】
2020003180.tif 000004
【図３Ａ】
2020003180.tif 000005
【図３Ｂ】
2020003180.tif 000006
【図４】
2020003180.tif 000007
【図５】
2020003180.tif 000008
【図６】
2020003180.tif 000009
【図７】
2020003180.tif 000010
【図８Ａ】
2020003180.tif 000011
【図８Ｂ】
2020003180.tif 000012
【図８Ｃ】
2020003180.tif 000013